(57)【特許請求の範囲】
【請求項１】
操作リングの内周に形成されたクリックにクリックばねを押圧当接させて、前記操作リングの回転操作に所定の手応えを付与するクリック機構を備えたカメラのレンズ装置において、
レンズ本体に装着されて前記操作リングをモータ駆動する駆動ユニットと、
前記駆動ユニットに設けられ、前記駆動ユニットを前記レンズ本体に装着すると、前記クリックばねを押圧して、前記クリックと前記クリックばねとの係合を解除させる解除部材と、
を備えたことを特徴とするカメラのレンズ装置。
【発明の詳細な説明】
【０００１】
【発明の属する技術分野】
本発明は、カメラのレンズ装置に係り、特にカメラやビデオカメラ等の光学機械に適用されるカメラのレンズ装置に関する。
【０００２】
【従来の技術】
絞りやズームなどの操作を手動で行うカメラでは、振動等でその操作リングが回動しないように操作リングにクリック機構若しくはフリクション機構等が採用されている。
一方、絞りやズームなどの操作を自動で行うカメラでは、省電力化、コンパクト化等の観点から小型モータを使用して駆動しているため、駆動に際して負荷のかかるクリック機構若しくはフリクション機構等は採用されていない。
【０００３】
このため、従来は、手動操作用のカメラと自動操作用のカメラとを別仕様で生産していた。
【０００４】
【発明が解決しようとする課題】
しかしながら、前記のごとく手動操作用のカメラと自動操作用のカメラとを別仕様で生産するとコストアップになるという欠点がある。
また、ユーザーが駆動ユニットの着脱を行い、手動と自動を使い分けたいという要望もある。
【０００５】
本発明は、このような事情に鑑みてなされたもので、１台のレンズで手動操作と自動操作とを使い分けることができるカメラのレンズ装置を提供することを目的とする。
【０００６】
【課題を解決するための手段】
本発明は、前記目的を達成するために、操作リングの内周に形成されたクリックにクリックばねを押圧当接させて、前記操作リングの回転操作に所定の手応えを付与するクリック機構を備えたカメラのレンズ装置において、レンズ本体に装着されて前記操作リングをモータ駆動する駆動ユニットと、前記駆動ユニットに設けられ、前記駆動ユニットを前記レンズ本体に装着すると、前記クリックばねを押圧して、前記クリックと前記クリックばねとの係合を解除させる解除部材と、を備えたことを特徴とする。
【０００７】
本発明によれば、手動操作時には、操作リングに固定支持機構が連結されているが、自動操作時には、その連結が強制的に解除される。これにより、自動操作時において、モータに負荷をかけることなく操作リングを作動させることができる。
【０００８】
【発明の実施の形態】
以下添付図面に従って本発明に係るカメラのレンズ装置の好ましい実施の形態を詳述する。
図１は、本発明が適用されたＥＮＧカメラ用テレビレンズの側面断面図である。
【０００９】
同図に示すように、このテレビレンズ１０のレンズ鏡胴１２には、光軸Ｌの前方からフォーカスレンズ１４、変倍レンズ１６、補正レンズ１８、絞り装置２０、及びリレーレンズ２２が順に配置されている。
前記フォーカスレンズ１４は、フォーカスリング２４に固定されており、フォーカスリング２４はヘリコイドねじ２６を介してレンズ鏡胴１２に噛合されている。
【００１０】
前記フォーカスリング２４の外周部にはフォーカスギア２８が形成されている。このフォーカスギア２８は、ドライブユニット７８が前記レンズ鏡胴１２に装着されると、該ドライブユニット７８に内蔵されたフォーカス駆動モータ８２に連結されたフォーカス駆動ギア８２Ａに噛合される。前記フォーカスレンズ１４は、前記フォーカス駆動モータ８２が正転／逆転回転されると、前記ヘリコイドねじ２６の作用によって光軸Ｌに沿って前後移動する。
【００１１】
前記変倍レンズ１６は、変倍レンズ用レンズ枠２９に支持されており、該変倍レンズ用レンズ枠２９には、ピン３０が植設されている。このピン３０は、カム筒３２に形成された変倍レンズ用カム溝３４に係合されるとともに、前記レンズ鏡胴１２に形成された直進溝３６に係合されている。
前記補正レンズ１８は、補正レンズ用レンズ枠３８に支持されており、該変倍レンズ用レンズ枠３８には、ピン４０が植設されている。このピン４０は、カム筒３２に形成された補正レンズ用カム溝４２に係合されるとともに、前記レンズ鏡胴１２に形成された直進溝３６に係合されている。
【００１２】
前記カム筒３２には、ピン４４が植設されており、該ピン４４は、前記レンズ鏡胴１２に形成された逃げ溝４６を介してズームリング４８に連結されている。したがって、このズームリング４８を回動させることにより、前記カム筒３２が回動する。
前記ズームリング４８の外周部にはズームギア５０が形成されている。このズームギア５０は、ドライブユニット７８が前記レンズ鏡胴１２に装着されると、該ドライブユニット７８に内蔵されたズーム駆動モータ８４に連結されたズーム駆動ギア８４Ａに噛合される。
【００１３】
前記変倍レンズ１６は、前記ズーム駆動モータ８４が正転／逆転回転されると、前記変倍レンズ用カム溝３４の軌跡に沿って光軸Ｌ方向に前後移動する。また、前記補正レンズ１８も同様に、補正レンズ用カム溝４２の軌跡に沿って光軸Ｌ方向に前後移動する。前記変倍レンズ１６と前記補正レンズ１８とは、正のパワーを有するレンズなので、前記変倍レンズ１６と補正レンズ１８とが最も離れた位置においてＷＩＤＥ撮影ができ、最も接近した位置においてＴＥＬＥ撮影ができる。
【００１４】
前記リレーレンズ２２は、リレーレンズ用レンズ枠５１に支持されており、該リレーレンズ用レンズ枠５１は、前記レンズ鏡胴１２の後端部に連結された保持環５２に支持されている。
前記絞り装置２０は、アイリスリング５４、菊座５６、複数の絞り羽根５８、５８…、及び絞り枠６０から構成されている。
【００１５】
前記アイリスリング５４は、前記保持環５２に回動自在に支持されており、その外周面にはアイリスギア６２が形成されている。このアイリスギア６２は、ドライブユニット７８がレンズ鏡胴１２に装着されると、ドライブユニット７８に内蔵されたアイリス駆動モータ８６に連結されたアイリス駆動ギア８６Ａに噛合される。
【００１６】
前記アイリスリング５４の内側には、菊座５６がピン６４を介して連結されている。このピン６４は、前記保持環５２に形成された逃げ溝６６に挿通されており、これにより、前記アイリスリング５４の回動中に、前記ピン６４が保持環５２に干渉しないようにされている。
前記菊座５６は、ドーナツ状に形成されており、その表面に複数の図示しない溝が光軸Ｌを中心に放射状に形成されている。これらの溝には、前記絞り羽根の一方面に設けられた図示しないダボピンが係合されている。
【００１７】
また、前記絞り羽根５８、５８…の他方面には図示しない回動ピンが設けられており、この回動ピンが絞り枠６０に形成された図示しない穴に回動自在に係合されている。
以上の構成により、前記アイリスリング５４を介して前記菊座５６を回動すると、前記絞り羽根５８、５８…が前記ダボピンと前記菊座の溝、及び、前記回動ピンと前記絞り枠６０の穴との作用によって絞り口径が調整される。
【００１８】
ところで、前記絞り装置２０には、クリック機構が設けられている。このクリック機構は、絞りの手動操作時に、振動等でアイリスリング５４が回転して絞り値が変化するのを防止するためのものであり、次のように構成されている。
図２は、ドライブユニット７８がテレビレンズ１０に装着された自動操作形態を示す要部断面図であり、図３は、ドライブユニット７８がテレビレンズ１０から取り外された手動操作形態を示す要部断面図である。
【００１９】
図２及び図３に示すように、前記アイリスリング５４には、環状の溝６８が形成されている。この溝６８の内周面（アイリスギア６２の裏面に対応する面）には、一定の間隔でクリック７０が形成されており、該クリック７０には、前記保持環５２に固定されたクリックばね７２が、図３に示すように、クリックばね７２自身の付勢力によって押圧当接されている。
【００２０】
以上の構成のクリック機構を設けることにより、図３に示す手動操作時に、カメラの操作者がアイリスリング５４を回転させて絞りを調整すると、そのアイリスリング５４の回転ごとにクリックばね７２がクリック７０に係合し、カチッという手応えとともにアイリスリング５４が係止される。これにより、振動等でアイリスリング５４が回転して絞り値が変化するのを有効に防止することができる。
【００２１】
ところで、前記クリック機構は、上述したように、絞りの手動操作時においては有効に作用するが、絞りの自動調整時には、却ってアイリス駆動モータ８６の駆動負荷となる。このため、以下の構成の退避手段により、前記クリックばね７２は、クリック７０との係合を解除できるようにされている。
図２に示すように、前記クリックばね７２が固定された保持環５２には、前記クリックばね７２に対して直交するように挿入孔７４が形成されている。この挿入孔７４に押圧ピン７６が挿入されると、前記クリックばね７２は、この押圧ピン７６に押圧され、クリック７０から強制的に退避させられる。これにより、クリック機構が押圧ピン７６により解除される。
【００２２】
そして、この押圧ピン７６は、ドライブユニット７８に設けられており、該ドライブユニット７８が前記レンズ鏡胴１２に装着されると、前記挿入孔７４に挿入されるように構成されている。
前記ドライブユニット７８は、図示しないビスを介して前記レンズ鏡胴１２の側部に装着される。このドライブユニット７８の内部には、フォーカス駆動モータ８２、ズーム駆動モータ８４及びアイリス駆動モータ８６が内蔵されており、各駆動モータのスピンドルには、それぞれフォーカス駆動ギア８２Ａ、ズーム駆動ギア８４Ａ、アイリス駆動ギア８６Ａが連結されている。
【００２３】
前述したように、前記ドライブユニット７８が前記レンズ鏡胴１２に装着されると、前記フォーカス駆動ギア８２Ａはフォーカスギア２８に、また、ズーム駆動ギア８４Ａはズームギア５０に、アイリス駆動ギア８６Ａはアイリスギア６２にそれぞれ噛合される。また、前記押圧ピン７６が、挿入孔７４に挿入されて、クリックばね７２を押圧し、クリック７０から退避させる。
【００２４】
前記のごとく構成された本実施の形態のカメラのレンズ装置の作用は次の通りである。
まず、絞りの調整を手動で行う場合について説明する。この場合、テレビレンズ１０は、ドライブユニット７８を取り外した状態で使用する。ドライブユニット７８をレンズ鏡胴１２から取り外すと、押圧ピン７６が挿入孔７４から抜けるので、クリックばね７２は押圧ピン７６による規制が解除されて、図３に示すようにクリック７０に押圧当接される。
【００２５】
この状態で、カメラの操作者がアイリスリング５４を回転させて絞りを調整すると、そのアイリスリング５４の回転ごとにクリックばね７２がクリック７０に係合し、カチッという手応えとともにアイリスリング５４が係止される。
これにより、振動等でアイリスリング５４が回転して絞り値が変化するのを防止することができる。また、カチッという手応えは、絞りの調整を行う際の目安にもなる。
【００２６】
次に、絞りの調整を自動で行う場合について説明する。この場合は、テレビレンズ１０にドライブユニット７８を装着した状態で使用する。このドライブユニット７８の装着は、前記テレビレンズ１０のレンズ鏡胴１２に図示しないビスを介して装着する。
前記ドライブユニット７８が前記レンズ鏡胴１２に装着されると、フォーカス駆動ギア８２Ａがフォーカスギア２８に、また、ズーム駆動ギア８４Ａがズームギア５０に、アイリス駆動ギア８６Ａがアイリスギア６２に、それぞれ噛合される。また、これと同時に、前記ドライブユニット７８に設けられた押圧ピン７６が、挿入孔７４に挿入される。
【００２７】
前記押圧ピン７６が挿入孔７４に挿入されると、図２に示すように、その押圧ピン７６がクリックばね７２を押圧し、この結果、クリックばね７２がクリック７０から強制的に退避させられる。
したがって、この状態でアイリス駆動モータ８６が駆動されても、そのアイリス駆動モータ８６にクリック機構による負荷がかかることはない。
【００２８】
このように、本実施の形態の絞り装置によれば、手動操作時においてのみ、クリック機構を作動させることができるため、１台のテレビレンズ１０で任意に手動操作と自動操作とを使い分けることができる。
なお、本実施の形態では、押圧ピン７６をドライブユニット７８に設け、そのドライブユニット７８がレンズ鏡胴１２に装着されると、自動的に押圧ピン７６がクリックばね７２を押圧して、クリック７０から退避させるように構成しているが、次のように構成してもよい。
【００２９】
すなわち、挿入孔７４をネジ孔とし、その挿入孔７４に挿入される押圧ピン７６をボルトとする。そして、ボルトはドライブユニット７８から独立して設け、このボルトを前記ネジ孔に螺合させることにより、前記クリックばね７２を押圧して、クリック７０から退避させるように構成する。
これにより、ドライブユニット７８を装着しない状態においても、クリック機構を任意選択的に作動及び解除させることができる。
【００３０】
また、本実施の形態では、クリック７０がアイリスリング５４に形成されている場合について説明したが、クリックが菊座５６に形成されている場合についても、同様の手段を用いてクリック機構を選択的に作動させることができる。
また、本実施の形態では、絞り装置２０にクリック機構が設けられている場合について説明したが、フォーカス装置又はズーム装置にクリック機構が設けられている場合についても、同様に適用することができる。
【００３１】
【発明の効果】
以上説明したように、本発明に係るカメラのレンズ装置によれば、固定支持機構と操作リングとの連結を解除する部材によって、任意選択的に固定支持機構を作動及び解除させることがきるので、１台のレンズで手動操作と自動操作とを使い分けることができる。
【図面の簡単な説明】
【図１】本発明が適用されたＥＮＧカメラ用テレビレンズの側面断面図
【図２】図１の要部を示す拡大断面図
【図３】図１の要部を示す拡大断面図
【符号の説明】
１０…テレビレンズ
２０…絞り装置
５４…アイリスリング
５６…菊座
５８…絞り羽根
６０…絞り枠
７０…クリック
７２…クリックばね
７６…押圧ピン
７８…ドライブユニット
【図１】
0003804839.tif 000002
【図２】
0003804839.tif 000003
【図３】
0003804839.tif 000004